(57)【特許請求の範囲】
【請求項１】
コンタクトアームを上動操作し、且つトリガを引き操作すると、打ち込み機本体が作動して打ち込み具が打ち出される打ち込み機であって、
連発モード位置とシーケンシャルモード位置と停止モード位置に切り換え操作可能な単一の操作部材として前記トリガを打ち込み機本体に回動支持する支軸を備え、
該支軸は、相互に偏心する二つの回転軸線Ｃ１，Ｃ２を備え、該回転軸線Ｃ１を中心にして前記打ち込み機本体に回動可能に支持され、前記トリガは、前記回転軸線Ｃ２を中心軸線として前記支軸に設けた偏心軸部に回動可能に支持され、
該支軸の前記各モード位置への回動操作による前記偏心軸部の変位により前記トリガの回動中心を変位させて、前記打ち込み機本体の操作形態を、
前記トリガの引き操作状態における前記コンタクトアームの上動操作が有効になる連発モード、
又は前記トリガの引き操作状態における前記コンタクトアームの上動操作が無効になるシーケンシャルモード、
又は前記トリガの引き操作が禁止される停止モードに切り換える構成とした打ち込み機。
【請求項２】
請求項１記載の打ち込み機であって、支軸を停止モード位置に回動させると、トリガが打ち込み機本体に干渉して該トリガの引き操作が禁止される構成とした打ち込み機。
【発明の詳細な説明】
【０００１】
【発明の属する技術分野】
この発明は、例えば釘打ち機、ねじ打ち機或いはタッカー等の打ち込み機に関する。
【０００２】
【従来の技術】
例えば打ち込み機の一種であるエア駆動式の釘打ち機は、圧縮空気を駆動源として上下動する打撃ピストンを内蔵した打ち込み機本体を備えており、トリガを引き操作すると打撃ピストンが下動してドライバガイドの先端から打ち込み具（釘）が１本づつ打ち出される構成となっている。
従来より、この種の打ち込み機には、不用意な打ち込み動作（誤作動）を防止するため、ドライバガイドの先端には誤作動防止用のコンタクトアームが上下動可能に設けられており、このコンタクトアームを打ち込み材に押し付けて相対的に上動させた時にのみ、トリガの引き操作が有効になるよう構成されている。トリガが有効に引き操作されるとトリガバルブがオンして打ち込み機本体の給排気状態が切り替わり、これにより打ち込み機本体の打撃ピストンが下動して、該打ち込み機本体の下部に設けたドライバガイドの先端から打ち込み具が打ち出される。
【０００３】
又、従来より上記コンタクトアームを備えた打ち込み機において、さらに確実に誤作動を防止するため、トリガの引き操作又はコンタクトアームの上動操作の何れを先行させてもトリガの引き操作が有効になる「連発モード」と、コンタクトアームを先に上動操作した状態でトリガの引き操作を行った場合にのみトリガの引き操作が有効になり、逆の操作を行った場合にはトリガの引き操作が無効になり従って打ち込み具が打ち出されない「シーケンシャルモード」とを作業形態に合わせて任意に切り換え可能とした打ち込み機が提供されていた（例えば、特開平１０−２６４０５２号公報）。
上記構成によれば連発モードを選択することにより打ち込み作業の効率化を図ることができる一方、シーケンシャルモードを選択することにより打ち込み時の反動による二重打ちを防止することができる。
又、例えば当該打ち込み機を持ち運ぶ場合（打ち込み作業時以外）等における打ち込み機本体の誤作動を確実に防止するため、トリガを引き操作不能にロックするトリガロック機構（停止モード）を備えたものが提供されている。このトリガロック機構によれば、トリガに指を添えて持ち運ぶ場合にコンタクトアームが他部位に干渉して移動しても打ち込み機本体の作動を確実に防止することができる。
【０００４】
【発明が解決しようとする課題】
しかしながら、上記従来の打ち込み機によれば、トリガロック機構の切り換え操作部材は、連発モードとシーケンシャルモードを切り換える操作部材とは別に設けられていたため、これら種々モードの切り換え操作が面倒であり、この点で使い勝手がよくなかった。
そこで、本発明は、面倒な操作をすることなく連発モード又はシーケンシャルモード又は停止モードの切り換えをすることができ、この点で使い勝手のよい打ち込み機を提供することを目的とする。
【０００５】
【課題を解決するための手段】
このため、本発明は前記請求項に記載した構成の打ち込み機とした。
請求項１記載の打ち込み機によれば、単一の操作部材としてのトリガの支軸を回転操作して該トリガの回動中心（偏心軸部）を変位させることにより、打ち込み機の操作形態を連発モード又はシーケンシャルモード又は停止モードに切り換えることができるので、従来別々の操作部材を操作する場合に比して操作が面倒ではなく、この点で打ち込み機の使い勝手をよくすることができる。
請求項２記載の打ち込み機によれば、停止モードでは、トリガが打ち込み機本体に干渉することにより該トリガの引き操作が禁止される構成であり、簡単な構成で且つ簡単な操作で確実なトリガロック状態を得ることができる。
【０００６】
【発明の実施の形態】
次に、本発明の実施形態を図１〜図１５に基づいて説明する。図１は、打ち込み機の一例としての釘打ち機１を示している。この釘打ち機１は、釘打ち機本体２と、該釘打ち機本体２の側部から側方へ突き出すように設けたハンドル部３を備えている。又、釘打ち機本体２の下面には、釘を打ち出すための釘打ち出し部４が設けられている。この釘打ち出し部４と前記ハンドル部３との間には多数の釘を装填するための釘マガジン５が装備されている。
釘打ち機本体２には、圧縮空気により往復動するピストン（図示省略）が内装されており、該ピストンには釘打撃用のドライバが取り付けられている。このドライバは、上記釘打ち出し部４のドライバガイド６の内周側を経て図示上下方向（釘打ち込み方向）に往復動可能に案内されている。
【０００７】
ドライバガイド６にはコンタクトアーム７が上下動可能に取り付けられている。このコンタクトアーム７は、ドライバガイド６の下端側に位置するコンタクト部７ａと、該コンタクト部７ａからドライバガイド６に沿って延びる延長部７ｂと、該延長部７ｂの上端に設けた作用部７ｃを有している。この作用部７ｃは、釘打ち機本体２に取り付けた支持ブラケット９に上下に移動可能に支持されており、その先端（上端）は、ハンドル部３の基部に取り付けたトリガバルブ４０の近傍に至っている。
この作用部７ｃと延長部７ｂとの間には、打ち込み深さ調整装置８が介在されている。この打ち込み深さ調整装置８を操作することにより延長部７ｂに対する作用部７ｃの位置を変更することができ、これにより釘の打ち込み深さを調整することができる。
【０００８】
コンタクトアーム７は圧縮ばねにより下動側に付勢されているため、上動操作しない状態では下動端側に位置している。コンタクトアーム７が下動端側に位置する状態では、コンタクト部７ａがドライバガイド６の下端からさらに一定寸法突き出した状態となる。図１はこの状態を示している。コンタクト部７ａがドライバガイド６の下端から突き出した寸法が、該コンタクト部７ａひいてはコンタクトアーム７の上動可能な寸法となっている。
【０００９】
コンタクト部７ａを釘打ち込み材（図示省略）にあてがって当該釘打ち機１を釘打ち込み方向（図１において下方）に押し付けることにより、コンタクトアーム７を圧縮ばねに抗して相対的に上動させることができる。コンタクトアーム７が上動すると、その作用部７ｃが一体で上方へ変位する。作用部７ｃが上方へ変位することは、トリガバルブ４０がオンして釘打ち機本体２において釘打ち動作がなされるための一つの条件となっている。釘打ち動作をするためのもう一つの条件は、トリガ３０が有効に引き操作されることである。
【００１０】
トリガ３０は、釘打ち機本体２の側部に設けた二股の支持壁部２ａ，２ｂに支軸３５を介して上下に回動可能に支持されている。トリガ３０の支持状態が図２及び図３に示されている。図示するように、上記支軸３５は、大径部３５ａと小径部３５ｂを有している。小径部３５ｂは大径部３５ａに対して偏心している。図３中、大径部３５ａの回転軸線が符号Ｃ１で示され、小径部３５ｂの回転軸線が符号Ｃ２で示されている。回転軸線Ｃ１と回転軸線Ｃ２の間隔が、大径部３５ａに対する小径部３５ｂの偏心距離Ｌとなる。本実施形態において上記小径部３５ｂが請求項１に記載した偏心軸部に相当する。
図３に示すように支軸３５の大径部３５ａは、一方（図示左側）の二股壁部２ａに形成した支持孔２ｃに回転可能に支持されている。小径部３５ｂの先端側は、他方（図示右側）の二股壁部２ｂに回転可能に取り付けた支持キャップ３６に軸方向移動不能に支持されている。これにより、小径部３５ｂは、両二股壁部２ａ，２ｂ間に掛け渡し状に支持されている。
この小径部３５ｂにトリガ３０が回動可能に支持されている。従って、トリガ３０の回動中心は、回転軸線Ｃ２となっている。
【００１１】
又、大径部３５ａの端面には、回動操作用のつまみ３７が取り付けられている。このつまみ３７と、上記一方の二股壁部２ａとの間には、鋼球３８が挟み込まれている。この鋼球３８は圧縮ばね３９により、二股壁部２ａに設けた半球形状のロック孔２ｄ（又は２ｅ、又は２ｆ）に押し付けられている。このロック孔２ｄ，２ｅ，２ｆは、回転軸線Ｃ１を中心とする円周上の３箇所に形成されている。第１ロック孔２ｄと第２ロック孔２ｅとの間、第２ロック孔２ｅと第３ロック孔２ｆとの間はそれぞれ相互に９０゜の間隔に設定されている。
つまみ３７を回動操作すると、鋼球３８が圧縮ばね３９により第１ロック孔２ｄ（又は第２ロック孔２ｅ、又は第３ロック孔２ｆ）にはまり込み、これにより支軸３５が回転軸線Ｃ１回りの３箇所にロックされる。
【００１２】
支軸３５が回動すると、小径部３５ｂが回転軸線Ｃ１を中心とし、かつ前記偏心距離Ｌを半径とする円周上を移動する。鋼球３８が第１ロック孔２ｄにロックされると、支軸３５の小径部３５ｂは図２において大径部３５ａの回動軸線Ｃ１よりも上側に位置する。以下、この切り換え状態を「連発モード」と言う。
又、支軸３５を上記連発モードから図２において反時計回りに１８０゜回動操作して第２ロック孔２ｅに鋼球３８がロックされた状態とすると、支軸３５の小径部３５ｂは図２において回動軸線Ｃ１よりも下側に位置する。以下、この切り換え状態を「シーケンシャルモード」と言う。
【００１３】
このシーケンシャルモードから支軸３５をさらに反時計回り方向に９０゜だけ回動操作して第３ロック孔２ｆに鋼球３８がロックされた状態とすると、支軸３５の小径部３５ｂは図２において回動軸線Ｃ１の右側（トリガバルブ４０側）に位置する。以下、この切り換え状態を「停止モード」と言う。
図２では、支軸３５を連発モードに切り換えた時の小径部３５ｂに「Ｒ」の添え字を付し、シーケンシャルモードに切り換えた時の小径部３５ｂに「Ｓ」の添え字を付し、停止モードに切り換えた時の小径部３５ｂに「Ｔ」の添え字を付して、それぞれ区別した。図２において、連発モード時の小径部３５ｂＲとシーケンシャルモード時の小径部３５ｂＳが二点鎖線で示されている。
【００１４】
次に、トリガ３０の上部には、ストッパ突起３０ａが後方（図２において右方）へ張り出し状に設けられている。このストッパ突起３０ａは、上記支軸３５を停止モードに切り換えた状態では、前記二股壁部２ａ，２ｂの基部に張り出し形成したストッパ壁２ｇの下側に位置する。このため、トリガ３０を引き操作しようとすると、ストッパ突起３０ａがストッパ壁２ｇに干渉するため当該トリガ３０の引き操作が禁止される。
これに対して、支軸３５を連発モードに切り換えた状態では、ストッパ突起３０ａがストッパ壁２ｇの上側に位置し、又シーケンシャルモードに切り換えた状態では、ストッパ突起３０ａがストッパ壁２ｇの下方であって十分に離れた位置に位置する。このため、トリガ３０の引き操作時において、ストッパ突起３０ａがストッパ壁２ｇに干渉することはなく、従ってトリガ３０の引き操作が許容される。
【００１５】
このように、支軸３５を連発モード又はシーケンシャルモードに切り換えた状態では、トリガ３０の回動操作が許容され、停止モードに切り換えた状態では、トリガ３０の引き操作が禁止されるのであり、このような機能を満たすように支軸３５の位置及び大径部３５ａと小径部３５ｂの偏心距離Ｌが設定され、又ストッパ突起３０ａ及びストッパ壁２ｇの位置及び形状等が設定されている。
又、トリガ３０の背面側にはアイドラ３１が取り付けられている。このアイドラ３１は、トリガ３０の下部寄りに取り付けた支軸３１ａを介して上下に回動可能に設けられている。又、このアイドラ３１は支軸３１ａから上方に延びて上記支軸３５の近傍にまで至っている。
【００１６】
上記のように構成したトリガ３０の後方であって、ハンドル部３の基部にトリガバルブ４０が取り付けられている。このトリガバルブ４０は従来構成と同様であり、本発明の実施にあたって特に変更を要しない。このトリガバルブ４０は、バルブステム４１を有している（図１及び図４以降参照）。このバルブステム４１が一定寸法押し込まれると、トリガバルブ４０がオンする。トリガバルブ４０がオンすると、前記打撃ピストンの上側エア室に圧縮空気が供給されて該打撃ピストンが下動し、これにより１本の釘がドライバによって打ち出される。アイドラ３１とトリガバルブ４０との間には圧縮ばね４２が介装されているため、アイドラ３１はバルブステム４１から離間する方向に付勢されている。
【００１７】
又、これによりトリガ３０が反引き操作方向（原位置側、図において時計回り方向）に付勢されており、この付勢力に抗して当該トリガ３０が引き操作される。トリガ３０は引き操作しない状態では、その前部に設けたストッパ部３０ｂが上記支持ブラケット９に当接することにより原位置に保持される。図１、図４、図５、図９、図１０、図１４及び図１５は、トリガ３０が原位置に位置する状態を示している。
【００１８】
次に、支軸３５のモード位置の相違、及びコンタクトアーム７の上動操作又はトリガ３０の引き操作の何れを先に行うかといった操作形態の相違によるトリガバルブ４０の有効、無効について説明する。
図４は、支軸３５を連発モードに位置させた状態（小径部３５ｂＲが大径部３５ａの回転軸線Ｃ１よりも上側に位置する状態）における非操作状態を示している。この非操作状態から図５に示すように、コンタクトアーム７を上動操作すると、その作用部７ｃによってアイドラ３１の上部が押されることにより該アイドラ３１が圧縮ばね４２に抗してトリガバルブ４０側に回動し、これによりバルブステム４１が僅かに押し込まれる。しかしながら、この段階ではバルブステム４１の押し込み量が不十分であるために、トリガバルブ４０はオンしない。
【００１９】
次に、図６に示すようにコンタクトアーム７の上動操作をした後、トリガ３０の引き操作（図において反時計回りの回動操作、以下同じ）をすると、アイドラ３１の支軸３１ａがトリガバルブ４０側に移動するので、該アイドラ３１が全体としてトリガバルブ４０側に大きく変位し、これによりバルブステム４１がさらに押し込まれてトリガバルブ４０がオンする。トリガバルブ４０がオンすると、釘打ち動作がなされる。
又、図４に示すように連発モードにおける非操作状態では、トリガ３０のストッパ突起３０ａが、釘打ち機本体２側のストッパ壁２ｇの上側に位置する。このため、トリガ３０の引き操作にあたってストッパ突起３０ａがストッパ壁２ｇに干渉することはなく、従って該トリガ３０の引き操作が許容される。
【００２０】
上記とは逆に、図７に示すように先ずトリガ３０を引き操作すると、アイドラ３１の支軸３１ａがトリガバルブ４０側に変位する。しかしながら、アイドラ３１の移動量が小さいため、バルブステム４１は殆ど移動せず、従ってトリガバルブ４０はオンしない。そこで、図８に示すようにさらにコンタクトアーム７を上動操作することによりアイドラ３１の上部が圧縮ばね４２に抗してトリガバルブ４０側に押される。これにより、バルブステム４１が十分な量だけ押し込まれてトリガバルブ４０がオンし、従って釘打ち動作がなされる。この場合も、トリガ３０のストッパ突起３０ａが本体２側のストッパ壁２ｇに干渉することはなく、該トリガ３０の引き操作が許容される。
このように、支軸３５を連発モードに位置させた状態で、先ずコンタクトアーム７を上動操作し、次にトリガ３０を引き操作すること（第１操作形態）により釘打ちを行うことができ、逆に、先ずトリガ３０を引き操作し、次にコンタクトアーム７を上動操作すること（第２操作形態）によっても釘打ちを行うことができる。
【００２１】
次に、支軸３５を、上記連発モードから図示反時計回りに１８０゜回転操作してシーケンシャルモードに切り換えた場合について説明する。この場合、支軸３５の小径部３５ｂＳは大径部３５ａの回転軸線Ｃ１よりも下側に位置するため、トリガ３０の回動支点（小径部３５ｂＳ）は上記連発モードの場合に比して寸法２Ｌだけ下側に変位しており、従ってアイドラ３１も連発モードの場合に比して全体として下側に寸法２Ｌだけ変位している。
図９は、コンタクトアーム７の上動操作及びトリガ３０の引き操作の何れも行っていない非操作状態を示している。このシーケンシャルモードにおける非操作状態から、先ず図１０に示すようにコンタクトアーム７を上動操作すると、連発モードの場合と同様、その作用部７ｃによりアイドラ３１の上部がトリガバルブ４０側に押される。この場合も、バルブステム４１が僅かに押し込まれるが、その量が不十分であるため、トリガバルブ４０はオンしない。
コンタクトアーム７を上動操作した後、トリガ３０を引き操作する（第１操作形態）と、図１１に示すようにアイドラ３１が全体としてトリガバルブ４０側に変位し、これによりバルブステム４１が十分な量だけ押し込まれ、従ってトリガバルブ４０がオンして釘打ちがなされる。
【００２２】
次に、同じくシーケンシャルモードにおいて、図９に示す非操作状態から、図１２に示すように先ずトリガ３０を引き操作すると、アイドラ３１の支軸３１ａ側（図示下端側）がその先端側（図示上端側）よりも大きくトリガバルブ４０側に移動するので、結果的にアイドラ３１の先端部がコンタクトアーム７の作用部７ｃの移動経路よりも下側に退去する。この段階では、バルブステム４１は押し込まれていない。上記のようにトリガバルブ３０を引き操作した後、図１３に示すようにコンタクトアーム７を上動操作すると、その作用部７ｃがアイドラ３１に突き当てられることなく通過し、従ってアイドラ３１はトリガバルブ４０側に回動されない。
【００２３】
このように、シーケンシャルモードにおいて、トリガ３０を引き操作した後、コンタクトアーム７を上動操作する（第２操作形態）と、アイドラ３１によりバルブステム４１が押し込まれないのでトリガバルブ４０はオンせず、従って釘打ち動作はなされない。すなわち、トリガ３０を引き操作してもトリガバルブ４０はオンしないので、該トリガ３０の引き操作は無効となる。
又、支軸３５をシーケンシャルモードに切り換えると、トリガ３０のストッパ突起３０ａがストッパ壁２ｇの下方へ十分離れた位置に移動するので、トリガ３０の引き操作にあたってストッパ突起３０ａがストッパ壁２ｇに干渉することはなく、従って当該トリガ３０の引き操作が許容される。
【００２４】
次に、支軸３５を上記シーケンシャルモードから図示反時計回りにさらに９０゜回転操作して、停止モードに切り換えた場合について説明する。この停止モードの場合には、図２に示すように小径部３５ｂＴが、図示高さ方向については連発モードとシーケンシャルモードの中間に位置し、図示左右方向については連発モード及びシーケンシャルモードよりも寸法Ｌだけトリガバルブ４０側に変位し、その結果図１４に示すように非操作状態においてストッパ突起３０ａがストッパ壁２ｇに対して下側から当接した状態となって、トリガ３０を引き操作できない状態となる。
【００２５】
このようにトリガ３０を引き操作できない状態において、図１５に示すようにコンタクトアーム７を上動操作しても、その作用部７ｃによりアイドラ３１がトリガバルブ４０側に押されてバルブステム４１が僅かに押し込まれるが、その量が不十分であるためトリガバルブ４０はオンせず、従って釘打ち動作はなされない。
【００２６】
以上説明した本実施形態の釘打ち機１によれば、つまみ３７を把持して支軸３５（単一の操作部材）を回動操作することにより、操作形態を連発モード又はシーケンシャルモード又は停止モードに切り換えることができるので、従来よりも操作が面倒でなく、この点で当該打ち込み機１の使い勝手をよくすることができる。
なお、操作形態を連発モードにすると、コンタクトアーム７の上動操作とトリガ３０の引き操作の何れを先に行ってもトリガバルブ４０がオンして、釘打ち動作がなされる。又、シーケンシャルモードに切り換えると、コンタクトアーム７の上動操作を行った状態でトリガ３０の引き操作をした場合にのみ釘打ち動作がなされ、逆の場合にはトリガ３０の引き操作が無効となってトリガバルブ４０がオンせず、従って釘打ち動作がなされない。このシーケンシャルモードによれば、トリガ３０を引き操作した状態のまま、再度コンタクトアーム７の上動操作を行っても釘打ち動作がなされないので、釘の二重打ちを確実に防止できる。
【００２７】
さらに、支軸３５を停止モードに切り換えると、トリガ３０の引き操作が禁止される。このため、この停止モードでコンタクトアーム７を上動操作しても、トリガバルブ４０がオンしないので、当該釘打ち機１の誤操作を確実に防止することができる。この停止モードによれば、例えば当該釘打ち機１を持ち運ぶ場合に、コンタクトアーム７が他部位に当接する等して上動した場合であっても釘打ち動作がなされないので、不用意な釘の打ち出しが確実に防止される。
【００２８】
以上説明した実施形態には、種々変更を加えることができる。例えば本発明は、例示した釘打ち機１に限らず、例えばタッカーやねじ打ち込み機等のその他の打ち込み機であって、操作形態（連発モード又はシーケンシャルモード又は停止モード）を切り換えるタイプの打ち込み機に広く適用することができる。
【００２９】
また、請求項記載の発明には含まれないがこれに関連する技術として、例えば、前記例示した作用部７ｃを図において上下３段に平行移動可能に設けて、該作用部７ｃを単一の操作部材とすることもできる。この場合、作用部７ｃを、上段位置（停止モード位置）に移動させると、コンタクトアーム７の上動操作とトリガ３０の引き操作の先後に関係なく、該作用部７ｃがアイドラ３１の先端部に干渉せず、従って、コンタクトアーム７を上動操作し、かつトリガ３０を引き操作してもトリガバルブ４０がオンしない状態（停止モード）とすることができる。
又、この関連技術の場合、作用部７ｃを中段位置（シーケンシャルモード位置）に移動させると、コンタクトアーム７を先に上動操作した場合にのみアイドラ３１が作用部７ｃによって押され、従って次にトリガ３０を引き操作するとトリガバルブ４０がオンするシーケンシャルモードとすることができる。
さらに、この関連技術の場合、作用部７ｃを下段位置（連発モード位置）に移動させると、コンタクトアーム７の上動操作又はトリガ３０の引き操作の何れを先行させても、コンタクトアーム７を上動操作すればアイドラ３１が作用部７ｃによって押され、従ってトリガバルブ４０がオンする連発モードとすることができる。
又、別の関連技術として上記作用部７ｃを回転操作することにより上中下３段に平行移動する構成としても前記例示した請求項記載の発明と同様の作用効果を得ることができる。
又、さらに別の関連技術としてアイドラ４１の回動支点を上下に３位置に切り換えて、作用部７ｃに対する位置を３段階に切り換えることにより、連発モード又はシーケンシャルモード又は停止モードを切り換えることができる。
又、アイドラ４１の長さ（その先端部の高さ）を２段階に切り換え可能な構成しても、前記例示した請求項記載の発明の作用効果を得ることができる。
【図面の簡単な説明】
【図１】  本発明の実施形態を示す図であり、釘打ち機全体の側面図である。
【図２】  トリガ及びアイドラの側面図である。
【図３】  図２の（３）−（３）線断面矢視図である。
【図４】  連発モード時におけるコンタクトアームとトリガの操作状態を示す側面図である。本図は、コンタクトアームの上動操作、トリガの引き操作のいずれもなされていない非操作状態を示している。
【図５】  連発モード時におけるコンタクトアームとトリガの操作状態を示す側面図である。本図は、コンタクトアームの上動操作のみを行った状態を示している。
【図６】  連発モード時におけるコンタクトアームとトリガの操作状態を示す側面図である。本図は、コンタクトアームの上動操作をした後、トリガの引き操作を行った状態（第１操作形態）であって、トリガバルブがオンした状態を示している。
【図７】  連発モード時におけるコンタクトアームとトリガの操作状態を示す側面図である。本図は、トリガの引き操作のみを行った状態を示している。
【図８】  連発モード時におけるコンタクトアームとトリガの操作状態を示す側面図である。本図は、トリガの引き操作を行った後、コンタクトアームの上動操作を行った状態（第２操作形態）であって、トリガバルブがオンした状態を示している。
【図９】  シーケンシャルモード時におけるコンタクトアームとトリガの操作状態を示す側面図である。本図は、コンタクトアームの上動操作、トリガの引き操作の何れもなされていない非操作状態を示している。
【図１０】  シーケンシャルモード時におけるコンタクトアームとトリガの操作状態を示す側面図である。本図は、コンタクトアームの上動操作のみを行った状態を示している。
【図１１】  シーケンシャルモード時におけるコンタクトアームとトリガの操作状態を示す側面図である。本図は、コンタクトアームの上動操作をした後、トリガを引き操作した状態（第１操作形態）であって、トリガバルブがオンした状態を示している。
【図１２】  シーケンシャルモード時におけるコンタクトアームとトリガの操作状態を示す側面図である。本図は、トリガの引き操作のみを行った状態を示している。
【図１３】  シーケンシャルモード時におけるコンタクトアームとトリガの操作状態を示す側面図である。本図は、トリガの引き操作を行った後、コンタクトアームの上動操作を行った状態（第２操作形態）であって、トリガの引き操作が無効となった状態を示している。
【図１４】  停止モード時におけるコンタクトアームとトリガの操作状態を示す側面図である。本図は、トリガの引き操作が禁止された状態でコンタクトアームを引き操作していない状態を示している。
【図１５】  停止モード時におけるコンタクトアームとトリガの操作状態を示す側面図である。本図は、トリガの引き操作が禁止された状態でコンタクトアームを引き操作した状態であって、トリガバルブをオンさせることができない状態を示している。
【符号の説明】
１…釘打ち機（打ち込み機）
２…釘打ち機本体
７…コンタクトアーム、７ｃ…作用部
３０…トリガ、３０ａ…ストッパ突起
３１…アイドラ
３５…支軸、３５ａ…大径部、３５ｂ…小径部（偏心軸部）
３５ｂＲ…連発モード時の小径部
３５ｂＳ…シーケンシャルモード時の小径部
３５ｂＴ…停止モード時の小径部
４０…トリガバルブ
４１…バルブステム
Ｃ１…大径部３５ａの回転軸線
Ｃ２…小径部３５ｂの回転軸線
【図１】
0003670182.tif 000002
【図２】
0003670182.tif 000003
【図３】
0003670182.tif 000004
【図４】
0003670182.tif 000005
【図５】
0003670182.tif 000006
【図６】
0003670182.tif 000007
【図７】
0003670182.tif 000008
【図８】
0003670182.tif 000009
【図９】
0003670182.tif 000010
【図１０】
0003670182.tif 000011
【図１１】
0003670182.tif 000012
【図１２】
0003670182.tif 000013
【図１３】
0003670182.tif 000014
【図１４】
0003670182.tif 000015
【図１５】
0003670182.tif 000016